(57)【要約】【課題】  地盤に構築した架台の強度が低い場合であっても、架台の脇に大型の揚重機を配置することなく、架台上を移動して杭打ち作業、或いは杭抜き作業を行うことができる杭施工機を提供することを課題とする。【解決手段】  地盤に構築された仮設架台１上に載置される杭施工機１０であって、仮設架台１上を移動するベースフレーム２０と、地盤を掘削するアースオーガ３０（削孔手段）が取り付けられるリーダ４０とを備え、リーダ４０は、軸周りに回動可能な状態でベースフレーム２０に立設されており、リーダ４０に取り付けられたアースオーガ３０が、リーダ４０の回動に伴って、リーダ４０の軸周りに移動するように構成されていることを特徴としている。【選択図】      図１
2006125032.tif 000002
【特許請求の範囲】
【請求項１】
地盤に構築された架台上に載置される杭施工機であって、
前記架台上を移動するベースフレームと、
地盤を掘削する削孔手段、または、杭に圧入力や引張力を付与する付圧手段が取り付けられるリーダと、を備え、
前記リーダは、軸周りに回動可能な状態で前記ベースフレームに立設されており、
前記リーダに取り付けられた前記削孔手段または前記付圧手段が、前記リーダの回動に伴って、前記リーダの軸周りに移動するように構成されていることを特徴とする杭施工機。
【請求項２】
前記ベースフレームには、昇降自在な脚部を備えたアウトリガが設けられており、
前記アウトリガの前記脚部を下降させて地盤に当接させることにより、前記ベースフレームが前記アウトリガに支持されるように構成されていることを特徴とする請求項１に記載の杭施工機。
【請求項３】
前記ベースフレームには、揚重手段が設けられていることを特徴とする請求項１または請求項２に記載の杭施工機。
【発明の詳細な説明】
【技術分野】
【０００１】
本発明は、地盤に構築された架台上から、地盤に杭を打ち込む、或いは地盤から杭を引き抜くための杭施工機に関する。
【背景技術】
【０００２】
山岳や河川等の斜面に杭を打ち込む杭打ち作業や、斜面から杭を引き抜く杭抜き作業（以下、各作業を「杭施工」という場合がある。）では、鉄パイプを組み合せた仮設架台を斜面に構築し、この仮設架台上の平面に杭施工機を載置して作業を行うことになる。しかし、鉄パイプを組み合せて構築した仮設架台の強度が低いため、杭施工機の重量が制限されてしまう。
【０００３】
そこで、仮設架台上から杭打ち作業を行う杭施工機としては、図６に示すように、平板状のベースフレーム１２０と、中空杭Ｐ’の内部から地盤を掘削するアースオーガ１３０と、アースオーガ１３０の昇降をガイドするリーダ１４０とを備えた杭施工機１００がある。この杭施工機１００では、リーダ１４０の頂部にラフタークレーン（図示せず）の吊具１５０を取り付け、ラフタークレーンによって杭施工機１００全体を吊り上げて、仮設架台１上で杭施工機１００を移設することにより、複数の中空杭Ｐ’を仮設架台１上から順次に打ち込むことができる（例えば、特許文献１参照）。
このような杭施工機１００では、仮設架台１上にラフタークレーン等の大型の揚重機を載置する必要がなくなり、仮設架台１が支持する荷重が大幅に低減されるため、強度が低い仮設架台１であっても杭施工機１００を載置することができる。
【特許文献１】特開２００１−２４８３７５号公報（段落００１０、図１）
【発明の開示】
【発明が解決しようとする課題】
【０００４】
前記杭施工機１００では、仮設架台１の脇に配置したラフタークレーンによって、杭施工機１００全体を吊り上げて移設しているため、斜面の麓から仮設架台１に通じる幅広な道路を構築し、その道路を利用してラフタークレーンを仮設架台１の脇に配置する必要がある。
しかしながら、山岳や河川等の工事では、施工現場周辺の環境に十分配慮する必要があり、施工現場周辺に幅広な道路を設けることは避けなければならない。このように、ラフタークレーンを仮設架台１の脇に配置することができない場合には、杭施工機１００を仮設架台１上で移設することができないため、前記杭施工機１００を適用可能な施工現場が限られてしまうという問題がある。
【０００５】
そこで、本発明では、前記した問題を解決し、地盤に構築した架台の強度が低い場合であっても、架台の脇に大型の揚重機を配置することなく、架台上を移動して杭打ち作業、或いは杭抜き作業を行うことができる杭施工機を提供することを課題とする。
【課題を解決するための手段】
【０００６】
前記課題を解決するため、請求項１に記載の発明は、地盤に構築された架台上に載置される杭施工機であって、架台上を移動するベースフレームと、地盤を掘削する削孔手段、または、杭に圧入力や引張力を付与する付圧手段が取り付けられるリーダとを備え、リーダは、軸周りに回動可能な状態でベースフレームに立設されており、リーダに取り付けられた削孔手段または付圧手段が、リーダの回動に伴って、リーダの軸周りに移動するように構成されていることを特徴としている。
【０００７】
ここで、削孔手段とは、杭を挿入するための竪孔を削孔するアースオーガ等の装置であり、付圧手段とは、杭を地盤に圧入するための圧入力、または杭を地盤から引き抜くための引張力を杭に付与する油圧ジャッキ等の装置であり、これらの削孔手段および付圧手段は、既存の杭打ち装置または杭抜き装置を用いることができる。
【０００８】
また、ベースフレームを架台上で移動させる構成としては、ベースフレームと架台との間に複数の車輪を設ける構成や、ベースフレームと架台との間に複数の丸パイプ（ころ）を設ける構成、或いは、架台上に敷いたレール上でベースフレームを移動させる構成など、その構成は限定されるものではないが、ベースフレームと架台との間に複数の支点を設けることにより、杭施工機の荷重が分散して架台に作用するように構成することが好ましい。
【０００９】
このように、本発明の杭施工機では、削孔手段または付圧手段が取り付けられたリーダを備えたベースフレームを架台上で移動させることができるため、杭施工機を移動させる際に、大型の揚重機を用いる必要がなくなる。これにより、架台の脇に大型の揚重機を配置することなく、杭施工機を架台上で移動させて杭打ち作業、或いは杭抜き作業を行うことができる。
【００１０】
ここで、杭施工機の各部品や杭を搬入・搬出するためのリフトが、架台の延長方向の中央部に設けられている場合には、杭施工が完了した際に、杭施工機を架台の中央部に停止させて解体する必要がある。
そこで、架台上から杭打ち作業を行う場合には、まず、杭施工機を架台の一端まで移動させた後に、架台の一端から中央部に移動させながら順次に杭打ち作業を行う。そして、杭施工機を架台の中央部から架台の他端まで移動させた後に、架台の他端から中央部に移動させながら順次に杭打ち作業を行うことにより、杭施工機を架台の中央部に停止させることができる。
このとき、杭の頂部が架台の上面よりも突出している場合には、杭施工機が杭の上方を通過することができないため、常に進行方向の後方側で杭打ち作業を行いながら移動する必要がある。
したがって、杭施工機による杭打ち作業の進行方向を反転させた際には、削孔手段も反対側に移動させなければならない。このとき、杭施工機全体を反転させるためには、架台上のスペースを十分に確保する必要があり、架台を構築するコストが増加してしまうという問題がある。
また、杭抜き作業では、杭施工機と杭の頂部との干渉を避けるため、常に進行方向の前方側で杭抜き作業を行う必要があり、杭打ち作業と同様に、杭施工機による杭抜き作業の進行方向を反転させた際には、付圧手段も反対側に移動させる必要がある。
【００１１】
本発明の杭施工機では、リーダが軸周りに回動可能であり、リーダに取り付けられた削孔手段または付圧手段が、リーダの軸周りに移動するように構成されているため、杭施工機による杭施工の進行方向を反転させた際に、リーダの回動させて削孔手段または付圧手段の位置を調整することができる。これにより、架台上で杭施工機全体を反転させる必要がなくなり、架台の幅員をベースフレームの幅員よりも大幅に拡張する必要がなくなるため、架台を構築するためのコストを低減することができる。
【００１２】
また、削孔手段をリーダの軸周りに移動させることができるため、削孔手段の駆動部の下端部に、オーガスクリューの上端部が取り付けられている構成では、オーガスクリューを継ぎ足す際に、リーダを回動させて駆動部をオーガスクリューの上方から移動させ、鉛直方向から別のオーガスクリューを下降させて継ぎ足すことができる。そして、再度、リーダを回動させて駆動部をオーガスクリューの上方に移動させることにより、オーガスクリューの上端部を駆動部の下端部に取り付けることができる。これにより、オーガスクリューを斜めに傾けて、横方向から駆動部の下方に挿入する必要がなくなり、作業効率を高めることができる。
【００１３】
さらに、杭を地盤に打ち込む、或いは地盤から引き抜く際には、リーダを回動させることにより、リーダから杭の打設位置の上方に突出している部位を移動させることができるため、杭を鉛直方向から打ち込む、或いは引き抜くことができ、作業効率を高めることができる。
【００１４】
また、請求項２に記載の発明は、請求項１に記載の杭施工機であって、ベースフレームには、昇降自在な脚部を備えたアウトリガが設けられており、アウトリガの脚部を下降させて地盤に当接させることにより、ベースフレームがアウトリガに支持されるように構成されていることを特徴としている。
【００１５】
このように、本発明の杭施工機では、杭施工を行う際に、杭の重量、掘削抵抗、或いは杭と地盤との摩擦抵抗による応力がベースフレームに作用した場合であっても、ベースフレームがアウトリガに支持されているため、架台が支持する荷重が増加してしまうことを防止することができる。これにより、杭施工時の応力を支持するために、架台の強度を高める必要がなくなるため、架台を構築するためのコストを低減することができる。
【００１６】
また、請求項３に記載の発明は、請求項１または請求項２に記載の杭施工機であって、ベースフレームには、揚重手段が設けられていることを特徴としている。
【００１７】
このように、本発明の杭施工機では、ベースフレームに揚重手段が設けられており、この揚重手段を用いて、杭施工機の各部品や杭を搬入または搬出することができるため、杭施工機の組み付け、および杭施工の作業効率を高めることができる。
【発明の効果】
【００１８】
このような杭施工機によれば、削孔手段または付圧手段が取り付けられたリーダを備えたベースフレームを架台上で移動させることができるため、大型の揚重機を用いて杭施工機を移動させる必要がなくなる。これにより、架台の脇に大型の揚重機を配置することなく、杭施工機を架台上で移動させて杭打ち作業、或いは杭抜き作業を行うことができるため、施工現場周辺に幅広な道路を設ける必要がなくなり、施工現場周辺の環境に十分配慮して作業を行うことができる。
また、削孔手段または付圧手段がリーダの軸周りに移動するように構成されているため、杭施工機による杭施工の進行方向を反転させた際に、架台上で杭施工機全体を反転させることなく、リーダを回動させて削孔手段または付圧手段の位置を調整することができる。これにより、架台の幅員をベースフレームの幅員よりも大幅に拡張する必要がなくなるため、架台を構築するためのコストを低減することができる。
さらに、リーダを回動させることにより、リーダから水平方向に突出している部位を移動させることができ、オーガスクリューの継ぎ足しや、杭の打ち込み、或いは杭の引き抜きを鉛直方向から行うことができるため、杭施工の作業効率を高めることができる。
【発明を実施するための最良の形態】
【００１９】
次に、本発明の実施形態について、適宜図面を参照しながら詳細に説明する。
図１は、本実施形態の杭施工機を示した側面図である。図２は、本実施形態の杭施工機を示した図で、図１のＡ―Ａ断面図である。図３は、本実施形態の杭施工機を示した平面図である。図４は、本実施形態の杭施工機を示した図で、アウトリガの脚部を地盤から離間させた状態の側面図である。
なお、以下の説明において、前方とは図１の右側に対応し、後方とは図１の左側に対応している。また、左右方向とは、図２の左右方向に対応しており、幅員とは図２の左右方向における幅である。
本実施形態では、山岳の斜面に鉄パイプを組み合せて構築した仮設架台の平面から、地盤にＨ形鋼の杭を打ち込む杭施工機を例として説明する。
【００２０】
（杭施工機の構成）
杭施工機１０は、図１および図２に示すように、仮設架台１上を移動するベースフレーム２０と、地盤を掘削する削孔手段であるアースオーガ３０と、アースオーガ３０の昇降をガイドするリーダ４０と、揚重手段であるクレーン５０とを備えている。
【００２１】
ベースフレーム２０は、図１から図３に示すように、平面視でＨ形となる平板状の部材であり、左右方向に所定間隔を空けて配置された２体のメインフレーム２１，２１と、各メインフレーム２１，２１を延長方向の中央部で連結しているサブフレーム２２とから構成され、ベースフレーム２０全体の幅員が仮設架台１の幅員と略同一に形成されている。
【００２２】
このベースフレーム２０の四隅には、昇降自在な脚部２４を備えた４体のアウトリガ２３・・・が設けられており、各アウトリガ２３・・・の脚部２４を下降させて、その下端部を地盤に当接させることにより、ベースフレーム２０が各アウトリガ２３・・・に支持されるように構成されている。
なお、杭施工機１０を仮設架台１上で移動させる際には、図４に示すように、各アウトリガ２３・・・の脚部２４を上昇させ、脚部２４の下端部を仮設架台１の上面よりも上方に配置することにより、脚部２４と仮設架台１との干渉を防ぐことができる。
なお、アウトリガ２３の脚部２４を昇降させる構成としては、例えば、作業員がチェーンブロックを用いて脚部２４を昇降させ、脚部２４に水平ピンを挿入して固定する構成や、油圧ジャッキを用いて脚部２４を昇降させる構成など、その構成は限定されるものではない。
【００２３】
また、ベースフレーム２０の左右側端部の下面には、複数の車輪２５・・・が設けられており、この各車輪２５・・・によってベースフレーム２０が仮設架台１上を移動可能となっている。このように、ベースフレーム２０は、複数の車輪２５・・・を支点として、仮設架台１上に載置されており、杭施工機１０の荷重が分散されて仮設架台１に作用することになるため、集中荷重に対する強度が低い仮設架台１であっても、杭施工機１０を支持することができる。
なお、杭施工機１０が仮設架台１上を移動するための駆動手段としては、例えば、電動モータによって車輪２５を回転させる構成など、既存の駆動手段を用いている。
【００２４】
リーダ４０は、図１から図３に示すように、アースオーガ３０の昇降をガイドする支柱であり、箱型の鋼管の四隅に丸パイプを取り付けた構成となっている。このリーダ４０は、ベースフレーム２０のサブフレーム２２の略中央部に立設されており、下端部に設けられた回転台座４３によって、軸周りに回動自在な状態でベースフレーム２０上に立設されている。
なお、回転台座４３を回動させる構成としては、例えば、作業員が手動で回動させる構成や、電動モータまたは油圧機構を用いて回動させる構成など、その構成は限定されるものではない。
【００２５】
アースオーガ３０は、図１および図２に示すように、リーダ４０に沿って昇降自在なオーガ出力装置３１と、オーガ出力装置３１の反対側でリーダ４０に取り付けられており、リーダ４０の頂部に設けられた２体のシーブ４４，４４を介してオーガ出力装置３１に取り付けられた昇降ワイヤ３２の巻き取り・繰り出しを行うためのウィンチ３３と、オーガ出力装置３１から回転力が付与されるオーガスクリュー３４と、リーダ４０に沿って昇降自在であり、掘削時におけるオーガスクリュー３４の振れを防止する振れ止め３５とを備え、ウィンチ３３が昇降ワイヤ３２を巻き取り、または繰り出すことによって、オーガ出力装置３１がリーダ４０に沿って昇降するように構成されている。
そして、オーガ出力装置３１の回転力によって回転しているオーガスクリュー３４をリーダ４０に沿って下降させることにより、杭を挿入するための竪孔を削孔することができる。
なお、オーガ出力装置３１の駆動手段としては、例えば、油圧モータを用いた構成など、既存の駆動手段を用いている。
【００２６】
また、図３に示すように、リーダ４０は、軸周りに回動可能な状態でベースフレーム２０に立設されているため、リーダ４０に取り付けられたアースオーガ３０は、リーダ４０の回動に伴ってリーダ４０の軸周りに移動することになる。なお、図３では、アースオーガ３０の回動状態を明確に示すため、アースオーガ３０を簡略化して示している。
【００２７】
クレーン５０は、図１から図３に示すように、アースオーガ３０を組み付け、または解体する際に用いられるとともに、杭を地盤に掘削した竪孔に挿入するための揚重手段である。
このクレーン５０は、図３の下側に配置されたメインフレーム２１の後部に立設されており、軸周りに回動自在な旋回台座５１と、旋回台座５１に立設されたアーム５２と、アーム５２の上端部から吊り下げられた吊具５３とを備え、アーム５２の上端部が伸縮するとともに、アーム５２が上下方向の略中央部で鉛直方向に屈折可能となっている。
【００２８】
（杭施工機を用いた杭打ち作業）
次に、本実施形態の杭施工機１０を用いた杭打ち作業について説明する。
図５は、本実施形態の杭施工機を用いた杭打ち作業を示した図で、（ａ）は杭施工機を仮設架台の前端部から中央部に向けて移動させた態様の平面図、（ｂ）は杭施工機を仮設架台の中央部から後端部に向けて移動させた態様の平面図、（ｃ）は杭施工機を仮設架台の後端部から中央部に向けて移動させた態様の平面図、（ｄ）は杭施工機を仮設架台の中央部に停止させた態様の平面図である。
なお、本実施形態では、図５に示すように、杭施工機１０の各部品や、杭Ｐを搬入・搬出するために、斜面の麓から延設されたリフト（図示せず）が、仮設架台１の延長方向の中央部Ｃに設けられている。
【００２９】
まず、図１および図２に示すように、仮設架台１の中央部Ｃに設けられたリフト（図示せず）によって搬入された各部品を組み付けることにより、仮設架台１上に杭施工機１０を載置する。このとき、クレーン５０を先行してベースフレーム２０上に組み付けることにより、クレーン５０を用いてリーダ４０およびアースオーガ３０を組み付けることができるため、作業効率を高めることができる。このとき、アースオーガ３０をサブフレーム２２（図３参照）の前方側に配置するとともに、各アウトリガ２３・・・の脚部２４の下端部が仮設架台１の上面よりも上方に配置された状態にする。
【００３０】
続いて、図５（ａ）に示すように、所定本数の杭およびオーガスクリュー（図示せず）をベースフレーム２０上に積載した状態で、杭施工機１０を仮設架台１の前端部Ｆに向けて移動させ、仮設架台１の前端部Ｆで停止させた後に、各アウトリガ２３・・・の脚部２４を下降させることにより、ベースフレーム２０を各アウトリガ２３・・・によって支持する（図１参照）。
【００３１】
その後、図１および図２に示すように、オーガ出力装置３１を駆動させてオーガスクリュー３４を回転させ、オーガスクリュー３４をリーダ４０に沿って下降させることにより、地盤に竪孔を削孔する。
さらに、クレーン５０を用いて杭Ｐを竪孔に挿入する。このとき、杭の重量や掘削抵抗による応力がベースフレーム２０に作用することになるが、ベースフレーム２０は各アウトリガ２３・・・に支持されているため、仮設架台１が支持する荷重が増加してしまうことが防止されている。
【００３２】
また、クレーン５０を用いてオーガスクリュー３４を継ぎ足す場合には、リーダ４０を軸周りに回動させて、オーガ出力装置３１をオーガスクリュー３４の上方から移動させることにより、別のオーガスクリュー３４を鉛直方向から下降させて継ぎ足すことができる。
さらに、杭Ｐを竪孔に挿入する場合にも、リーダ４０を軸周りに回動させて、オーガ出力装置３１を竪孔の上方から移動させることにより、杭Ｐを鉛直方向から下降させて竪孔に挿入することができる。
このように、オーガスクリュー３４や杭Ｐを斜めに傾けて、横方向からオーガ出力装置３１の下方に挿入する必要がなくなるため、作業効率を高めることができる。
【００３３】
そして、図５（ａ）に示すように、杭施工機１０を仮設架台１の中央部Ｃに向けて移動させ、前記杭打ち作業と同様にして、順次に杭打ち作業を行いながら、図５（ｂ）に示すように、杭施工機１０を仮設架台１の中央部Ｃに移動させることにより、複数の杭Ｐを仮設架台１の延長方向に並設する。
【００３４】
ここで、本実施形態では、杭施工機１０の各部品や杭Ｐを搬入・搬出するためのリフト（図示せず）が、仮設架台１の中央部Ｃに設けられているため、杭打ち作業が完了した際に、杭施工機１０を仮設架台１の中央部Ｃに停止させて解体する必要がある。
そこで、仮設架台１の前端部Ｆから中央部Ｃまで杭打ち作業を行った後に、図５（ｃ）に示すように、杭施工機１０を仮設架台１の中央部Ｃから後端部Ｂまで移動させ、後端部Ｂから中央部Ｃに向けて順次に杭打ち作業を行うことにより、図５（ｄ）に示すように、杭打ち作業が完了した際に、杭施工機１０を仮設架台１の中央部Ｃに停止させることができる。
【００３５】
このとき、本実施形態では、杭Ｐの頂部が仮設架台１の上面よりも突出しているため、杭施工機１０を移動させる際に、杭Ｐの上方を通過させることができなくなっている。そのため、アースオーガ３０を常に杭施工機１０の進行方向の後方側に配置し、杭施工機１０の進行方向の後方側で杭打ち作業を行う必要がある。
本実施形態の杭施工機１０では、アースオーガ３０がリーダ４０の軸周りに移動するように構成されているため、杭施工機１０による杭打ち作業の進行方向を反転させた際に、リーダ４０を回動させることにより、アースオーガ３０を進行方向の後方側に移動させることができる。
【００３６】
以上のようにして、杭打ち作業を完了した後に、仮設架台１の中央部Ｃに停止させた杭施工機１０を解体して、各部品をリフトによって仮設架台１上から搬出する。
【００３７】
このように、本発明の杭施工機１０では、アースオーガ３０が取り付けられたリーダ４０を備えたベースフレーム２０が、仮設架台１上を移動することができるため、杭施工機１０を移動させるための大型の揚重機を、仮設架台１の脇に配置する必要がなくなる。これにより、施工現場周辺に幅広な道路を設ける必要がなくなるため、施工現場周辺の環境に十分配慮して作業を行うことができる。
また、杭施工機１０による杭打ち作業の進行方向を反転させた際に、仮設架台１上で杭施工機１０全体を反転させることなく、リーダ４０を回動させてアースオーガ３０の位置を調整することができるため、仮設架台１の幅員をベースフレーム２０の幅員よりも大幅に拡張する必要がなくなり、仮設架台１を構築するためのコストを低減することができる。
【００３８】
以上、本発明の実施形態について説明したが、本発明は前記実施形態には限定されない。例えば、本実施形態では、仮設架台１上から杭打ち作業を行うための杭施工機１０について説明したが、杭Ｐを把持するチャック、および杭Ｐに引張力を付与する油圧ジャッキからなる付圧手段をリーダ４０に取り付けることにより、杭施工機１０を用いて杭Ｐを引き抜くこともできる。この構成では、チャックによって杭Ｐの頂部を把持した状態で、油圧ジャッキから引張力を杭Ｐに付与することにより、杭Ｐを引き抜くことができる。このとき、杭Ｐの重量や、杭Ｐと地盤との摩擦力による応力がベースフレームに作用することになるが、本実施形態の杭施工機１０では、図１に示すように、ベースフレーム２０が各アウトリガ２３・・・によって支持されているため、仮設架台１が支持する荷重が増加してしまうことが防止されている。
【００３９】
また、杭抜き作業では、前記杭打ち作業と同様に、杭施工機１０が杭の上方を通過することができないため、進行方向の前方側で杭抜き作業を行いながら、杭施工機１０を仮設架台１の中央部Ｃから前端部Ｆまで移動させた後に、仮設架台１の中央部Ｃから後端部Ｂに向けて杭施工機１０を移動させながら杭抜き作業を行う必要がある。このとき、チャックおよび油圧ジャッキは、常に進行方向の前方側に配置されている必要があるため、杭施工機１０による杭抜き作業の進行方向を反転させた際に、リーダ４０を回動させてチャックおよび油圧ジャッキを進行方向の前方側に移動させている。
【００４０】
なお、前記杭抜き作業に用いる杭施工機１０の構成と同様にして、リーダ４０に取り付けられたチャックおよび油圧ジャッキからなる付圧手段を用いて、杭Ｐに圧入力を付与することにより、杭Ｐを地盤に圧入することもできる。
【００４１】
また、本実施形態では、図１に示すように、ベースフレーム２０の下面に設けた複数の車輪２５・・・によって杭施工機１０が仮設架台１上を移動するように構成されているが、例えば、ベースフレーム２０と仮設架台１との間に複数の丸パイプ（ころ）を設けて移動させる構成や、仮設架台１上に敷いたレール上でベースフレーム２０を移動させる構成など、その構成は限定されるものではないが、ベースフレーム２０と仮設架台１との間に複数の支点を設けることにより、杭施工機１０の荷重が分散して仮設架台１に作用するように構成することが好ましい。
【００４２】
さらに、本実施形態では、図２に示すように、各アウトリガ２３・・・の脚部２４が、仮設架台１の内部で地盤に当接するように構成されているが、仮設架台１の左右側方から張り出した位置に各アウトリガ２３・・・を設け、脚部２４が仮設架台１の外部で地盤に当接するように構成してもよい。この構成では、杭施工機１０を移動させる際に、脚部２４の下端部を地盤から僅かに上昇させることにより、杭施工機１０を移動させることができる。
【００４３】
また、ベースフレーム２０の上面に、オーガスクリュー３４を立設した状態で保持するホルダを設けてもよい。具体的には、リーダ４０の軸周りに移動するオーガ出力装置３１の回転軌道上に（図３参照）、オーガスクリュー３４の下端部を挿入可能な筒状のホルダを設ける。そして、オーガスクリュー３４を継ぎ足す際には、継ぎ足すオーガスクリュー３４をホルダに保持させておき、リーダ４０を回動させることにより、ホルダに保持されたオーガスクリュー３４の上方にオーガ出力装置３１を移動させて取り付ける。その後、リーダ４０を回動させてオーガ出力装置３１およびオーガスクリュー３４を削孔位置の上方に移動させることにより、既に地盤に挿入されているオーガスクリュー３４に継ぎ足すことができる。これにより、オーガスクリュー３４を簡易に継ぎ足すことができるとともに、オーガスクリュー３４の保管領域を小さくすることができる。
【００４４】
さらに、継ぎ足した各オーガスクリュー３４を切り離す場合には、最上部のオーガスクリュー３４のみをオーガ出力装置３１に取り付けた状態で、リーダ４０を回動させ、このオーガスクリュー３４の下端部をホルダに挿入して保持させた後に、オーガ出力装置３１からオーガスクリュー３４を取り外すことにより、オーガスクリュー３４をベースフレーム２０上に立設した状態で保管することができる。
【図面の簡単な説明】
【００４５】
【図１】本実施形態の杭施工機を示した側面図である。
【図２】本実施形態の杭施工機を示した図で、図１のＡ―Ａ断面図である。
【図３】本実施形態の杭施工機を示した平面図である。
【図４】本実施形態の杭施工機を示した図で、アウトリガの脚部を地盤から離間させた状態の側面図である。
【図５】本実施形態の杭施工機を用いた杭打ち作業を示した図で、（ａ）は杭施工機を仮設架台の前端部から中央部に向けて移動させた態様の平面図、（ｂ）は杭施工機を仮設架台の中央部から後端部に向けて移動させた態様の平面図、（ｃ）は杭施工機を仮設架台の後端部から中央部に向けて移動させた態様の平面図、（ｄ）は杭施工機を仮設架台の中央部に停止させた態様の平面図である。
【図６】従来の杭施工機を示した側面図である。
【符号の説明】
【００４６】
１      仮設架台
１０    杭施工機
２０    ベースフレーム
２３    アウトリガ
２４    脚部
２５    車輪
３０    アースオーガ
３１    オーガ出力装置
３４    オーガスクリュー
４０    リーダ
４３    回転台座
５０    クレーン
Ｆ      仮設架台の前端部
Ｂ      仮設架台の後端部
Ｃ      仮設架台の中央部
Ｐ      杭
【図１】
2006125032.tif 000003
【図２】
2006125032.tif 000004
【図３】
2006125032.tif 000005
【図４】
2006125032.tif 000006
【図５】
2006125032.tif 000007
【図６】
2006125032.tif 000008